(57)【要約】【課題】表示体を支持する表示体支持具であって、様々なサイズ及び形状の表示体を安定的に支持することが可能な表示体支持具を提供することを課題とする。【解決手段】表示体Ｐを支持する表示体支持具であって、自立スタンド４により自立する支持具本体１と、表示体Ｐを前記支持具本体１に支持させる支持手段２とを備え、前記支持手段２は、表示体Ｐの下端側に当接する当接部材である下側当接部材２１と、表示体Ｐの上端側に当接する当接部材である上側当接部材１９とを有し、前記下側当接部材２１及び前記上側当接部材１９の少なくとも一方は、上下位置調整可能に複数設けられる。【選択図】図２
0003210053.tif 000002
【実用新案登録請求の範囲】
【請求項１】
表示体を支持する表示体支持具であって、
自立スタンドにより自立する支持具本体と、
表示体を前記支持具本体に支持させる支持手段とを備え、
前記支持手段は、表示体の下端側に当接する当接部材である下側当接部材と、表示体の上端側に当接する当接部材である上側当接部材とを有し、
前記下側当接部材及び前記上側当接部材の少なくとも一方は、上下位置調整可能に複数設けられた
ことを特徴とする表示体支持具。
【請求項２】
上下の当接部材の側面視で対向する面同士を、互いの距離が前方に向かって次第に短くなるように、それぞれ傾斜させた
請求項１に記載の表示体支持具。
【請求項３】
前記支持手段は、表示体の背面側を当接させることが可能なように支持具本体に取付けられた当接部を有し、
前記当接部に、前記当接部材を上下位置調整可能に支持した
請求項１又は２の何れかに記載の表示体支持具。
【請求項４】
前記当接部は、上下方向に延びて前記当接部材をスライド可能に支持する支持レールである
請求項３の何れかに記載の表示体支持具。
【請求項５】
前記支持レールを左右に並べて複数設けた
請求項４に記載の表示体支持具。
【請求項６】
前記支持レールは、支持具本体の強度を高めるフレームとして機能する
請求項４又は５の何れかに記載の表示体支持具。
【請求項７】
前記下側当接部材及び前記上側接当部材を同一の支持レールにスライド可能に支持した
請求項４乃至６の何れかに記載の表示体支持具。
【請求項８】
前記当接部材は、前記支持レールにスライド自在に支持された可動状態と、前記支持レールに固定された固定状態との切換を行う切換手段を有する
請求項４乃至７の何れかに記載の表示体支持具。
【請求項９】
前記上側当接部材及び前記下側当接部材は、それぞれ複数設けられた
請求項１乃至８の何れかに記載の表示体支持具。
【考案の詳細な説明】
【技術分野】
【０００１】
本考案は、表示体を支持する表示体支持具に関する。
【背景技術】
【０００２】
表示体を支持する表示体支持具であって、自立スタンドにより自立する支持具本体と、表示体を前記支持具本体に支持させる支持手段とを備え、前記支持手段は、表示体の下端側に当接する当接部材である下側当接部材と、表示体の上端側に当接する当接部材である上側当接部材とを有した特許文献１に示す表示体支持具が公知になっている。
【０００３】
また、前記支持手段が、前記表示体の下端部を下支えするように左右方向に延びる単一居の支持部材から構成された特許文献２に示す表示体支持具が公知になっている。
【先行技術文献】
【特許文献】
【０００４】
【特許文献１】実用新案登録第３２０３９４２号公報
【特許文献２】実用新案登録第３０８７０６２号公報
【考案の概要】
【考案が解決しようとする課題】
【０００５】
特許文献１に示す表示体支持具は、表示体が上下の接当部材によって安定的に支持される一方で、支持可能な表示体が下側当接部材と上側当接部材との間に挟持可能な形状及びサイズに限定されるため、汎用性が低い。
【０００６】
特許文献２に示す表示体支持具は、支持部材によって表示体を下支えして支持するため、特許文献１に比べて、汎用性はある程度確保できる。ただし、単一の支持部材によって下支え可能な表示体の形状にはある程度限りがあるため、その汎用性はそれ程高いとは言えない。さらに、表示体は、下支え支持されるのみであるため、特許文献１に比べ、安定性は低い。
【０００７】
本発明は、表示体を支持する表示体支持具であって、様々なサイズ及び形状の表示体を安定的に支持することが可能な表示体支持具を提供することを課題とする。
【課題を解決するための手段】
【０００８】
上記課題を解決するため、表示体を支持する表示体支持具であって、自立スタンドにより自立する支持具本体と、表示体を前記支持具本体に支持させる支持手段とを備え、前記支持手段は、表示体の下端側に当接する当接部材である下側当接部材と、表示体の上端側に当接する当接部材である上側当接部材とを有し、前記下側当接部材及び前記上側当接部材の少なくとも一方は、上下位置調整可能に複数設けられたことを特徴とする。
【０００９】
上下の当接部材の側面視で対向する面同士を、互いの距離が前方に向かって次第に短くなるように、それぞれ傾斜させたものとしてもよい。
【００１０】
前記支持手段は、表示体の背面側を当接させることが可能なように支持具本体に取付けられた当接部を有し、前記当接部に、前記当接部材を上下位置調整可能に支持したものとしてもよい。
【００１１】
前記当接部は、上下方向に延びて前記当接部材をスライド可能に支持する支持レールであるものとしてもよい。
【００１２】
前記支持レールを左右に並べて複数設けたものとしてもよい。
【００１３】
前記支持レールは、支持具本体の強度を高めるフレームとして機能するものとしてもよい。
【００１４】
前記下側当接部材及び前記上側接当部材を同一の支持レールにスライド可能に支持したものとしてもよい。
【００１５】
前記当接部材は、前記支持レールにスライド自在に支持された可動状態と、前記支持レールに固定された固定状態との切換を行う切換手段を有するものとしてもよい。
【００１６】
前記上側当接部材及び前記下側当接部材は、それぞれ複数設けられたものとしてもよい。
【考案の効果】
【００１７】
上下位置調整可能に複数設けられた接当部材と、その他の接当部材とによって、様々な形状又はサイズの表示体を上下で挟持して安定的に支持することが可能になる。
【図面の簡単な説明】
【００１８】
【図１】本考案を適用した表示体支持具の側面図である。
【図２】図１のＡ矢視図である。
【図３】図２のＢ−Ｂ断面図である。
【図４】スタンドの表示枠への取付構造を示す断面図である。
【図５】（Ａ）は図２に示す当接部材の拡大図であり、（Ｂ）は（Ａ）のＣ矢視図である。
【図６】図５（Ａ）のＤ−Ｄ断面図である。
【考案を実施するための形態】
【００１９】
図１は本考案を適用した表示体支持具の側面図であり、図２は図１のＡ矢視図であり、図３は図２のＢ−Ｂ断面図である。図示する表示体支持具は、金属製（さらに具体的には、アルミ製）の材料によって構成され、自立可能な支持具本体１と、表示体の一種である看板Ｐを前記支持具本体１に支持させる複数の支持機構（支持手段）２，２とを備えている。
【００２０】
支持具本体１は、方形状に成形された枠体である表示枠３と、該表示枠３を自立させるスタンド（自立スタンド）４とを有している。表示枠３は、左右の長さ（幅）が９００ｍｍ程度、上下の長さ（全長）が１６００ｍｍ程度に設定されている。
【００２１】
前記表示枠３は、上下一対の横フレーム６，７及び左右一対の縦フレーム８，８とからなる方形枠と、上下の横フレーム６，７の中間寄り部分に配置され且つ前記方形枠を上下に仕切る左右方向の仕切フレーム９と、下側の横フレーム７と仕切フレーム９との間における下寄り部分に配置され且つ左右方向に延びる補強フレーム１１とを有している。
【００２２】
ちなみに、横フレーム６，７と、縦フレーム８，８と、仕切フレーム９と、補強フレーム１１とは、それぞれ一直線状に延びる筒状に成形され且つ方形状の断面を有している。横フレーム６，７と、仕切フレーム９と、補強フレーム１１とは、それぞれ左右の縦フレーム７，７における対向面同士の間に架設固定されている。
【００２３】
正面視で、前記表示枠３における上側の横フレーム６と仕切フレーム９との間に一の支持機構２が配置され、仕切フレーム９と補強フレーム１１との間に一の支持機構２が配置されている。言換えると、支持具本体１には看板Ｐが上下に並べて複数（具体的には２つ）支持され、前記支持機構２はこの看板Ｐ毎に設けられる。
【００２４】
図４は、スタンドの表示枠への取付構造を示す断面図である。図１乃至図４に示す通り、前記スタンド４は、前記表示枠３に前後揺動可能に支持された左右一対の支持アーム１２，１２と、左右の支持アーム１２，１２を連結固定する左右方向の連結杆１３とを有している。
【００２５】
左右の支持アーム１２，１２は、後方が開放されたチャネル状の取付ブラケット１４，１４によって、その上端部が左右の縦フレーム８，８の背面上部側にそれぞれ支持されている。この左右の支持アーム１２，１２は、同一の揺動支点Ｓを有し、その下端部の間に前記連結杆１３が架設固定されている。このため、前記左右の支持アーム１２，１２は、常に同一又は略同一の前後揺動姿勢で、表示枠３に支持される。
【００２６】
また、左右の支持アーム１２，１２の少なくとも何れか一方の下部と、その真正面側に配置された縦フレーム８の下部とは、一対のリンク１６，１７によって連結されている。
【００２７】
前記スタンド４（左右の支持アーム１２，１２）を、所定位置まで後方揺動することにより、一対のリンク１６，１７が一直線状に伸長作動し、それ以上後方揺動させることができない展開姿勢に切換えられる。
【００２８】
一方、前記スタンド４を、前方に揺動させると、一対のリンク１６，１７が屈曲作動し、さらに縦フレーム８の背面側に当接する位置まで最大現前方に揺動することにより、一対のリンク１６，１７が二つ折り状態になり、該スタンド４が側面視で表示枠３側に沿って折畳まれて格納される格納姿勢に切換えられる。
【００２９】
ちなみに、この表示体支持具は、前記スタンド４を格納姿勢に切換えることにより、コンパクトに収容可能になる。一方、この表示体支持具（支持具本体３）は、前記スタンド４を格納姿勢と展開姿勢との間の途中の姿勢、或いは展開姿勢に切換えることにより、自立させることが可能になり、この際、スタンド４の前後揺動位置によって、表示枠３の後方傾斜角度を調整可能である。例えば、図示する例では、スタンド４の展開姿勢時、表示枠３の後方傾斜角度は１５〜２０°で最大値になる。
【００３０】
次に、図２、図３、図５及び図６に基づき、支持機構２の構成を詳述する。
【００３１】
図５（Ａ）は図２に示す当接部材の拡大図である。（Ｂ）は（Ａ）のＣ矢視図であり、図６は、図５（Ａ）のＤ−Ｄ断面図である。各支持機構２は、縦フレーム８と平行な方向（上下方向）に一直線状に延びる支持レール（当接部）１８と、該支持レール１８にスライド可能に支持された当接部材１９，２１とを有している。
【００３２】
前記支持レール１８は、左右に並べて複数配置され且つ表示枠３の背面側（さらに具体的には横フレーム６、仕切フレーム９及び補強フレーム１１の背面）に溶接やボルト等で固定されている。この前記支持レール１８は、上側の横フレーム６の背面から、補助フレーム１１の背面に至る範囲に形成されている。すなわち、２つの支持機構２，２は、共通の支持レール１８を、その一部の構成要素として備えている。
【００３３】
この支持レール１８，１８は左右一対で設けられ、この左右の支持レール１８，１８は、正面視で、表示枠３の左右対称位置にそれぞれ設けられる。なお、一の支持レール１８は、上述した通り、横フレーム６、仕切フレーム９及び補強フレーム１１の背面に取付固定されているため、支持具本体１の強度を高めるフレームとしても機能する。
【００３４】
この支持レール１８は中空状をなし且つその断面形状が方形状に成形されている。この支持レール１８の前面における幅方向中央部には、スライド孔１８ａが、全長方向全体に亘り穿設されている。このスライド孔１８ａの幅は全体に亘り同一又は略同一に設定されている。
【００３５】
前記支持レール１８の前面は、看板Ｐの背面側を当接させる当接面になる。すなわち、支持レール１８自体が、看板Ｐの背面を当接させる当接部として機能する。ちなみに、複数の支持レール１８の背面は、単一のフラットな面上に形成されている。
【００３６】
前記当接部材１９，２１の一方は看板Ｐの上端部に当接する上側当接部材１９であり、他方は看板Ｐの下端部に当接する下側当接部材２１である。前記支持レール１８は、支持機構２毎に、上側当接部材１９及び下側当接部材２１を、１個づつ備えている。各支持機構２は、複数の支持レール１８を有しているため、複数（具体的には、支持レール１８と同数）の上側当接部材１９と、複数（具体的には、支持レール１８と同数）の下側当接部材２１とを備えている。
【００３７】
各当接部材１９，２１は、支持レール１８の前壁の外面側に配置され且つ前記支持レール１８の全長方向を長手方向とする方形板状に成形されたスライダ２２と、支持レール１８の前壁の内面側に配置され且つ方形板状に成形されたスライダ２３と、前記スライド孔１８ａを介して内外のスライダ２２，２３を連結する連結具２４と、外側のスライダ２２の端部から前方に傾斜した状態で突出する当接プレート２６と、外側のスライダ２２の前面と当接プレート２６の上面とに溶接又はボルト等によって固定されて該スライダ２２及び当接プレート２６を連結固定させる固定ブラケット２７とを備えている。
【００３８】
連結具２４は、ボルト２８及びナット（さらに具体的には蝶ナット）２９から構成されている。前記ボルト２８は、前記支持レール１８の前壁と、該前壁を挟むように配置された内外の２つのスライダ２２，２３とに挿通され、該ボルト２８の基端部は内側のスライド２３に係止又は固定され且つその先端部が外側のスライダ２２から前方に突出した状態になる。
【００３９】
この状態で、このボルト２８の先端部に蝶ナット２９をネジ係合させ、締め付けることにより、当接部材１９，２１が支持レール１８に締着固定される一方で、締め付けを緩めることにより、当接部材１９の支持レール１８への固定が解除される。
【００４０】
すなわち、前記連結具２４は、前記当接部材１９，２１が前記支持レール１８でスライド可能な可動状態と、前記当接部材１９，２１が前記支持レール１８に固定された固定状態との一方から他方又は他方から一方への切換を行う切換手段を構成する。
【００４１】
この連結具２５の機能や前記支持構造により、当接部材１９，２１は、上下方向（具体的には、支持レール１８の全長方向）に位置調整可能に支持具本体１に固定することが可能になる。
【００４２】
上側当接部材１９の当接プレート２６は、その後端部が外側のスライダ２２の下端部に位置し、前方に向かって下方傾斜している。一方、下側当接部材２１の当接プレート２６は、その後端部が外側のスライダ２２の上端部に位置し、前方に向かって上昇傾斜している。すなわち、各支持機構２において、上下の当接部材１９，２１の側面視で対向する面同士は、それぞれ互いの距離が前方に向かって次第に短くなるように傾斜した当接面１９ａ，２１ａになる。
【００４３】
この上下の当接部材１９，２１における傾斜した当接面１９ａ，２１ａと、各当接部材１９，２１の上下位置調整によれば、前記支持機構２によって、種々の厚みや形状の看板Ｐを、支持具本体１に支持させることが可能になる。
【００４４】
例えば、図示する例では、四隅がＲ状をなす方形状に成形された看板Ｐを、上下の支持機構２，２に支持させているが、下側の看板Ｐは、上端部における左右一方寄り部分が他方寄り部分に比べて高くなっているとともに、下端部における前記一方寄り部分も前記他方寄り部分に比べて高くなっている。
【００４５】
このような歪な形状の看板Ｐに対しても、前記一方寄りに配置された上側接当部材１９を、前記他方寄りに配置された上側接当部材１９に比べて高い位置に固定するとともに、前記一方寄りに配置された下側接当部材２１を、前記他方寄りに配置された下側接当部材２１に比べて高い位置に固定することにより、対応可能なり、様々な形状や大きさの看板Ｐを支持させることが可能になる。
【００４６】
また、この際、看板Ｐの厚みが一部で均一でない場合でも、傾斜した当接面１９ａ，２１ａと、当接部材１９，２１の上下位置調整とによって、該当接部材１９，２１を看板Ｐの適切な場所に当接させることが可能になるため、このような看板Ｐも安定して支持させることが可能になる。
【００４７】
また、看板Ｐは、各当接プレート２６と支持レール１８の正面とによって前後が挟持されるとともに、上下の当接プレート２６によって上下が挟持されるため、支持の安定性が高い。
【００４８】
ちなみに、図示する上下の看板Ｐは、矢印の向きによって行き先を示すものであり、矢印はＬＥＤによってその一部又は全部が点滅や点灯する。例えば、矢印の一部を順次点灯させ、点灯する順番によっても行き先を示してもよいし、或いは、矢印の全体を点滅させ、注意を喚起してもよい。このため、看板Ｐの背面側の一部には電源回路やＬＥＤ基板が配置され、凸部が形成される。このような凹凸が背面の一部の形成された看板Ｐでも、安定して支持させることが可能になる。
【００４９】
以上のように構成される表示体支持具によれば、看板Ｐを当接させる支持レール１８が、当接部材１９，２１を支持する部材としても機能するとともに、支持具本体１の強度を高めるフレームとしても機能し、部材が兼用化され、構成がシンプルになる。
【００５０】
また、上下の当接部材１９，２１は、単一の支持レール１８に支持されるため、必要以上に支持レール１８を設ける必要がなくなり、構成が簡略化される。
【００５１】
また、単一の支持レール１８は、複数の支持機構２，２で、利用されるため、さらに構成は簡略化される。
【００５２】
さらに、ＬＥＤを用いた看板Ｐでは、夜間に設置して、該ＬＥＤを点灯又は点滅させることになるが、看板Ｐが低い位置に配置されていると視認し難くなり、見落としが発生し易くなる。これに対して、本表示体支持具は、看板Ｐを高い位置に支持させることが可能であるため、夜間の見落としを効率的に防止できる。
【００５３】
なお、各支持機構２は、上側当接部材１９及び下側当接部材２１の少なくとも何れか一方を、上下位置調整可能に動可能な状態で複数設ければ、他方は１つを常時固定された状態で設けても良い。
【００５４】
また、当接プレート２６の前端部から下方に突出し且つ支持レール１８側の前面と対向する対向部３１を、該当接プレート２６と一体又は別体で形成し、この対向部３１と支持レール１８との間で看板Ｐをより安定的に支持させてもよい。
【００５５】
また、支持機構２に支持させる対象物は看板Ｐに限定されるものではなく、ある程度の厚みを有する表示体でもよい。
【００５６】
さらに、看板Ｐは、本表示体支持具によって、上下複数段に支持されて目立つため、道路脇に設定した場合に、見落としの可能性が低くなる。また、上段の看板Ｐは、高い位置に配置されるため、自動車の運転席からも見やすくなる。
【符号の説明】
【００５７】
１  支持具本体
２  支持機構（支持手段）
４  スタンド（自立スタンド）
１８  支持レール（当接部）
１９  上側当接部材（当接部材）
１９ａ  当接面（面）
２１  下側当接部材（当接部材）
２１ａ  当接面（面）
Ｐ  看板（表示体）
【図１】
0003210053.tif 000003
【図２】
0003210053.tif 000004
【図３】
0003210053.tif 000005
【図４】
0003210053.tif 000006
【図５】
0003210053.tif 000007
【図６】
0003210053.tif 000008